(57)【要約】      （修正有）【課題】海苔養殖場の海の状況（海水の汚れ具合、海水温、等々）、活性処理を施す海苔網やそれに付着している藻類などの状態・性状、活性処理を行っている間における処理槽中の活性処理剤濃度の変動などに対して、海苔網活性処理を行っている最中に随時対応し、より適切な海苔網活性処理を行うことを可能にする海苔網活性処理剤供給装置及びこれを備えている海苔網活性処理船を提供する。【解決手段】海苔養殖場に張られている海苔網を活性処理する活性処理剤が収容されている活性処理剤タンク６と、前記活性処理剤と水とが混合された処理水が収容されていて前記海苔網の活性処理が行われる処理槽３と、前記活性処理剤タンクから前記処理槽へ前記活性処理剤を供給する供給手段９、１０とを備えている海苔網活性処理剤の供給装置である。前記海苔網活性処理剤供給装置を備えている海苔網活性処理船１である。【選択図】図１
0003210762.tif 000002
【実用新案登録請求の範囲】
【請求項１】
海苔養殖場に張られている海苔網を活性処理する活性処理剤が収容されている活性処理剤タンクと、
前記活性処理剤と水とが混合された処理水が収容されていて前記海苔網の活性処理が行われる処理槽と、
前記活性処理剤タンクから前記処理槽へ前記活性処理剤を供給する供給手段と
を備えている海苔網活性処理剤の供給装置。
【請求項２】
前記供給手段は、
前記処理槽内へ前記活性処理剤を供給する供給パイプと、
前記供給パイプと前記活性処理剤タンクとの間に介装されている供給ポンプと、
前記活性処理剤を、設定された単位時間あたりの供給量で、設定された供給量に達するまで前記供給パイプを介して前記活性処理剤タンクから前記処理槽中へ連続的に供給する自動供給手段と、
前記供給パイプに配備されているバルブのコックを手動で開閉制御することで前記供給パイプを介して前記活性処理剤タンクから前記処理槽中へ供給する前記活性処理剤の単位時間あたりの量を任意的に制御して前記供給パイプを介した前記活性処理剤タンクから前記処理槽中への前記活性処理剤の連続的供給を行う手動供給手段と
を備えていて、
前記自動供給手段による活性処理剤の設定された供給量に達するまでの連続供給と、前記手動供給手段による活性処理剤の連続供給とを任意に切り替え可能になっている
請求項１記載の海苔網活性処理剤の供給装置。
【請求項３】
前記供給手段は、
前記処理槽内へ前記活性処理剤を供給する供給パイプと前記処理槽内から前記処理水を吸引する吸引パイプとの間に介装されている循環ポンプと、
前記循環ポンプに連結されている前記供給パイプあるいは吸引パイプの少なくともどちらか一方に連結されていて、前記活性処理剤を供給する追液ポンプと
を備えている請求項１又は２記載の海苔網活性処理剤の供給装置。
【請求項４】
前記供給手段は、
前記処理槽内へ前記活性処理剤を供給する供給パイプと前記処理槽内から前記処理水を吸引する吸引パイプとの間に介装されている循環ポンプと、
前記循環ポンプに連結されている前記供給パイプあるいは吸引パイプの少なくともどちらか一方に連結されていて、前記活性処理剤を供給する追液ポンプと、
前記追液ポンプが連結されている活性処理剤調整タンクと
を備えている請求項１又は２記載の海苔網活性処理剤の供給装置。
【請求項５】
請求項１乃至４のいずれか一項に記載の海苔網活性処理剤の供給装置を備えている海苔網活性処理船。
【考案の詳細な説明】
【技術分野】
【０００１】
この考案は、海苔養殖場において海面に展張されている海苔網や、海苔網に付着している海苔などの藻類を洗浄したり活性処理する、海苔網活性処理剤の供給装置及びこれを備えている海苔網活性処理船に関する。
【背景技術】
【０００２】
海苔養殖においては健康な海苔を育成し、収穫率を向上させる、等の目的で、海苔養殖場海面に展張している海苔網に対して、海苔の刈取り後、等に活性処理を行っている。
【０００３】
例えば、活性処理を行う処理槽を備えた船（海苔網活性処理船）を用い、当該処理槽に海苔網を活性処理する活性処理剤と水とが混合された処理水を収容し、ここで海苔網の活性処理を行っている。
【０００４】
本願出願人も活性処理剤の定量供給装置及びこれを用いた海苔網の活性処理船についての提案を行っている（特許文献１、２）。これは、海苔網の活性処理を行う処理槽における活性処理剤の濃度を海苔網活性処理を行っている間で所定の値に維持することを目的としたものである。また、海苔養殖場の海の状況（海水の汚れ具合、海水温、等々）、活性処理を施す海苔網やそれに付着している藻類などの状態・性状、活性処理を行っている間における処理槽中の活性処理剤濃度の変動などに対して、海苔網活性処理を行っている最中に随時対応し、より適切な海苔網活性処理を行えるようにすることを目的にしたものである。
【先行技術文献】
【特許文献】
【０００５】
【特許文献１】実用新案登録第３１２６１０１号公報
【特許文献２】実用新案登録第３２０６８６６号公報
【考案の概要】
【考案が解決しようとする課題】
【０００６】
海苔網が張られている海苔養殖場の海の状況（海水の汚れ具合、海水温、等々）や、海苔養殖シーズン（秋〜春）などに応じて変動する海苔網に付着する藻類の性状などは種々である。また、養殖場に張られていた海苔網が処理槽中に送り込まれてくる際に海水も混入してくるので、活性処理を行っている間に処理槽中における活性処理剤の濃度が当初の設定濃度より低くなることが起こり得る。
【０００７】
このような海苔養殖場の海の状況（海水の汚れ具合、海水温、等々）、活性処理を施す海苔網やそれに付着している藻類などの性状や、活性処理を行っている間における処理槽中の活性処理剤濃度の変動などに対して海苔網活性処理を行っている最中に随時対応することが求められている。
【０００８】
そこで、活性処理を行っている間における処理槽中の活性処理剤濃度の変動などに対して海苔網活性処理を行っている最中に随時対応可能にして、適切に海苔網活性処理を行うことのできる海苔網活性処理剤供給装置と、これを備えている海苔網活性処理船を提案することを目的にしている。
【課題を解決するための手段】
【０００９】
［１］
海苔養殖場に張られている海苔網を活性処理する活性処理剤が収容されている活性処理剤タンクと、
前記活性処理剤と水とが混合された処理水が収容されていて前記海苔網の活性処理が行われる処理槽と、
前記活性処理剤タンクから前記処理槽へ前記活性処理剤を供給する供給手段と
を備えている海苔網活性処理剤の供給装置。
【００１０】
［２］
前記供給手段は、
前記処理槽内へ前記活性処理剤を供給する供給パイプと、
前記供給パイプと前記活性処理剤タンクとの間に介装されている供給ポンプと、
前記活性処理剤を、設定された単位時間あたりの供給量で、設定された供給量に達するまで前記供給パイプを介して前記活性処理剤タンクから前記処理槽中へ連続的に供給する自動供給手段と、
前記供給パイプに配備されているバルブのコックを手動で開閉制御することで前記供給パイプを介して前記活性処理剤タンクから前記処理槽中へ供給する前記活性処理剤の単位時間あたりの量を任意的に制御して前記供給パイプを介した前記活性処理剤タンクから前記処理槽中への前記活性処理剤の連続的供給を行う手動供給手段と
を備えていて、
前記自動供給手段による活性処理剤の設定された供給量に達するまでの連続供給と、前記手動供給手段による活性処理剤の連続供給とを任意に切り替え可能になっている
［１］の海苔網活性処理剤の供給装置。
【００１１】
［３］
前記供給手段は、
前記処理槽内へ前記活性処理剤を供給する供給パイプと前記処理槽内から前記処理水を吸引する吸引パイプとの間に介装されている循環ポンプと、
前記循環ポンプに連結されている前記供給パイプあるいは吸引パイプの少なくともどちらか一方に連結されていて、前記活性処理剤を供給する追液ポンプと
を備えている［１］又は［２］の海苔網活性処理剤の供給装置。
【００１２】
［４］
前記供給手段は、
前記処理槽内へ前記活性処理剤を供給する供給パイプと前記処理槽内から前記処理水を吸引する吸引パイプとの間に介装されている循環ポンプと、
前記循環ポンプに連結されている前記供給パイプあるいは吸引パイプの少なくともどちらか一方に連結されていて、前記活性処理剤を供給する追液ポンプと、
前記追液ポンプが連結されている活性処理剤調整タンクと
を備えている［１］又は［２］の海苔網活性処理剤の供給装置。
【００１３】
［５］
［１］乃至［４］のいずれかの海苔網活性処理剤の供給装置を備えている海苔網活性処理船。
【考案の効果】
【００１４】
この考案によれば、海苔養殖場の海の状況（海水の汚れ具合、海水温、季節、等々）、活性処理を施す海苔網やそれに付着している藻類などの状態・性状、活性処理を行っている間における処理槽中の活性処理剤濃度の変動などに対して、海苔網活性処理を行っている最中に随時対応し、より適切な海苔網活性処理を行うことのできる海苔網活性処理剤供給装置と、これを備えている海苔網活性処理船を提供することができる。
【図面の簡単な説明】
【００１５】
【図１】この考案の一実施形態に係る海苔網活性処理剤の供給装置が採用されている海苔網活性処理船の概略構成を表す一部を省略した平面図。
【図２】この考案の他の実施形態に係る海苔網活性処理剤の供給装置が採用されている海苔網活性処理船の概略構成を表す一部を省略した平面図。
【図３】この考案の更に他の実施形態に係る海苔網活性処理剤の供給装置が採用されている海苔網活性処理船の概略構成を表す一部を省略した平面図。
【図４】この考案の一実施形態に係る海苔網活性処理剤の供給装置における自動供給手段の構成を説明するブロック図。
【考案を実施するための形態】
【００１６】
この実施形態の海苔網活性処理剤の供給装置は、海苔養殖場に張られている海苔網を活性処理する活性処理剤と、水とが混合された処理水が収容されていて前記海苔網の活性処理が行われる処理槽へ前記海苔網活性処理剤を供給する装置である。
【００１７】
このような海苔網活性処理剤の供給装置は、前記活性処理剤が収容されている活性処理剤タンクと、前記活性処理剤タンクから前記処理槽へ前記活性処理剤を供給する供給手段とを備えている。
【００１８】
そして、この実施形態の海苔網活性処理船は、上述した海苔網活性処理剤の供給装置を備えているものである。
【００１９】
（実施の形態１）
図１は、海苔網活性処理船１に採用されている、海苔養殖場に張られている海苔網を活性処理する活性処理剤が収容されている活性処理剤タンクから、当該活性処理剤と水とが混合された処理水が収容されていて海苔網の活性処理が行われる処理槽へ、供給手段を介して、活性処理剤が供給される海苔網活性処理剤供給装置の一実施形態の概略構成を表す一部を省略した平面図である。
【００２０】
海苔網活性処理船１は、活性処理剤と水とが混合された処理水が収容されていて海苔網の活性処理が行われる処理槽３を備えていて、船外機２によって駆動される。
【００２１】
処理槽３には、駆動エンジン４によって駆動される棒状の巻き上げ手段５ａ、５ｂ、５ｃ、５ｄが架け渡されている。これによって、海苔養殖場に張られている海苔網が巻き取られ、あるいは、巻き戻され、処理槽３において海苔網の活性処理が行われる。
【００２２】
図１図示の実施形態において、活性処理剤タンク６から、処理槽３へ、活性処理剤を供給する供給手段は次のように構成されている。
【００２３】
活性処理剤タンク６内に収容されている活性処理剤は、供給パイプ７を介して、矢印２１で示すように処理槽３内へ供給される。
【００２４】
供給パイプ７と活性処理剤タンク６との間には供給ポンプ８が介装されていて、供給ポンプ８によって、矢印２０、２１で示すように、活性処理剤タンク６内に収容されている活性処理剤が、供給パイプ７を介して、処理槽３内へ供給される。
【００２５】
図示の実施形態では、供給パイプ７に自動供給手段９と手動供給手段１０とが介装されている。
【００２６】
自動供給手段９は、活性処理剤を、設定された単位時間あたりの供給量で、設定された供給量に達するまで供給パイプ７を介して活性処理剤タンク６から処理槽３中へ連続的に供給する。
【００２７】
手動供給手段１０は、供給パイプ７に配備されているバルブのコック（不図示）を手動で開閉制御することで供給パイプ７を介して活性処理剤タンク６から処理槽３中へ供給する活性処理剤の単位時間あたりの量を任意的に制御して供給パイプ７を介した活性処理剤タンク６から処理槽３中への活性処理剤の連続的供給を行う。
【００２８】
自動供給手段９は、図４のブロック図に示したように、電源スイッチ３１、活性処理剤供給量設定部３２、流量計部３３、自動−手動切替部３４を備えている。
【００２９】
活性処理剤供給量設定部３２では、毎分０．２リットルから毎分３．７リットルまでの１５段階で活性処理剤の供給量（単位時間当たりの流量）を変化させて設定するようになっている。
【００３０】
流量計部３３は、活性処理剤タンク６から供給される活性処理剤の流量を計測し、あらかじめ設定された流量に到達するまで連続した供給が行われるように流量制御を行っている。
【００３１】
例えば、自動供給手段９の活性処理剤供給量設定部３２で単位時間当たりの活性処理剤の供給量（例えば、０．２リットル／分）を設定し、流量計部３３で供給する活性処理剤の流量を設定して、活性処理剤を、設定された単位時間あたりの供給量で、設定された流量に到達するまで連続して自動供給する。
【００３２】
自動−手動切替部３４は、自動供給手段９による活性処理剤の連続供給と、手動供給手段１０による活性処理剤の連続供給とを任意に切り替えるスイッチ部である。
【００３３】
手動供給手段１０は、供給パイプ７に配備されているバルブ（不図示）のコックを手動で開閉制御することで供給する活性処理剤の単位時間あたりの量を任意的に制御して連続的に供給可能にするものである。
【００３４】
例えば、バルブに配備されている流量を示す目盛を利用して、供給ホース７に配備されているバルブ（不図示）のコックを手動で開閉制御し、供給ホース７を介して処理槽３へ供給する活性処理剤の単位時間あたりの量を任意に制御して連続的に供給する。
【００３５】
この実施形態では、自動供給手段９によって、設定された単位時間あたりの供給量で、設定された供給量に達するまで活性処理剤を供給パイプ７を介して活性処理剤タンク６から処理槽３中へ連続的に供給する作業と、手動供給手段１０によって、供給パイプ７を介して活性処理剤タンク６から処理槽３中へ供給する活性処理剤の単位時間あたりの量を任意的に制御して供給パイプ７を介した活性処理剤タンク６から処理槽３中へ活性処理剤を連続的に供給する作業とを任意に切り替え可能になっている。
【００３６】
この実施形態では、自動供給手段９が備えている自動−手動切替部３４での設定によって、上述した自動供給手段９による活性処理剤の連続供給と、手動供給手段１０による活性処理剤の連続供給とを任意に切り替えることができる。
【００３７】
この実施形態において、巻き上げ手段５ａ、５ｂ、５ｃ、５ｄを駆動する駆動エンジン４、供給ポンプ８、自動供給手段９は、いずれもリモートコントロール可能にしておくことができる。
【００３８】
（実施の形態２）
図２は、海苔網活性処理船１に採用されている、海苔養殖場に張られている海苔網を活性処理する活性処理剤が収容されている活性処理剤タンクから、当該活性処理剤と水とが混合された処理水が収容されていて海苔網の活性処理が行われる処理槽へ、供給手段を介して、活性処理剤が供給される海苔網活性処理剤供給装置の他の実施形態の概略構成を表す一部を省略した平面図である。
【００３９】
図１図示の実施の形態１と共通する部分には共通する符号をつけてその説明を省略する。
【００４０】
図２図示の実施形態において、活性処理剤タンクから、処理槽３へ、活性処理剤を供給する供給手段は次のように構成されている。
【００４１】
処理槽３内へ活性処理剤を供給する供給パイプ７と処理槽３内から処理水を吸引する吸引パイプ１１との間に循環ポンプ１２が介装されている。
【００４２】
吸引パイプ１１を介して矢印２２で示すように処理槽３内から吸引された処理水は、循環ポンプ１２によって、矢印２３、矢印２０で示すように、吸引パイプ１１、供給パイプ７を介して、処理槽３内へ循環流動される。
【００４３】
図示の実施形態では、吸引パイプ１１に活性処理剤を供給する追液ポンプ１４が連結されている。
【００４４】
追液ポンプ１４は連結パイプ１５を介して活性処理剤調整タンク１６に接続されている。図２図示の実施形態では、活性処理剤調整タンク１６が活性処理剤タンクということになる。
【００４５】
活性処理剤調整タンク１６には、図１の実施の形態１で説明した活性処理剤タンク６と同じく、海苔養殖場に張られている海苔網を活性処理する活性処理剤が収容されている。
【００４６】
活性処理剤調整タンク１６では、活性処理剤調整タンク１６内の活性処理剤の濃度やｐＨなどを測定し、処理槽３内から吸引パイプ１１を介して吸引する処理水の濃度やｐＨ、処理槽３内における海苔網の活性処理の状況・状態などを勘案しながら、活性処理剤調整タンク１６内の活性処理剤の濃度やｐＨなどを調整している。
【００４７】
これによって、単に、処理槽３内の処理水を吸引パイプ１１を介して吸引し、循環ポンプ１２を介して、供給パイプ７で処理槽３内へ循環流動させるだけでなく、その過程で、処理槽３内の処理水の濃度やｐＨ、処理槽３内における海苔網の活性処理の状況・状態などに応じて調整された濃度、ｐＨの活性処理剤を追液ポンプ１４から追加供給することができる。
【００４８】
そこで、活性剤を利用した処理槽３内での海苔網活性処理の効果を上げることができる。
【００４９】
図２図示の実施形態では、吸引パイプ１１に活性処理剤を供給する追液ポンプ１４を連結しているが、追液ポンプ１４は、吸引パイプ１１あるいは、供給パイプ７のいずれか一方に連結していればよい。
【００５０】
図２図示の実施形態では、上述した構成の活性処理剤調整タンク１６に連結パイプ１５を介して追液ポンプ１４が接続され、吸引パイプ１１、循環ポンプ１２、供給パイプ７を介して循環流動される処理槽３内の処理水に対して活性処理剤を追加投入していた。
【００５１】
活性処理剤調整タンク１６に替えて、実施の形態１（図１）で説明した活性処理剤タンク６を使用することもできる。この場合には、活性処理剤タンク６内の活性処理剤の濃度やｐＨなどを測定し、処理槽３内から吸引パイプ１１を介して吸引する処理水の濃度やｐＨ、処理槽３内における海苔網の活性処理の状況・状態などを勘案しながら、活性処理剤タンク６内の活性処理剤の濃度やｐＨなどを調整するようになる。
【００５２】
この実施形態において、巻き上げ手段５ａ、５ｂ、５ｃ、５ｄを駆動する駆動エンジン４、供給ポンプ８、自動供給手段９、循環ポンプ１２、追液ポンプ１４は、いずれもリモートコントロール可能にしておくことができる。
【００５３】
（実施の形態３）
図３は、海苔網活性処理船１に採用されている、海苔養殖場に張られている海苔網を活性処理する活性処理剤が収容されている活性処理剤タンクから、当該活性処理剤と水とが混合された処理水が収容されていて海苔網の活性処理が行われる処理槽へ、供給手段を介して、活性処理剤が供給される海苔網活性処理剤供給装置の更に他の実施形態の概略構成を表す一部を省略した平面図である。
【００５４】
図１、図２図示の実施の形態１、２と共通する部分には共通する符号をつけてその説明を省略する。
【００５５】
図３図示の実施形態において採用されている、活性処理剤タンクから処理槽３へ活性処理剤を供給する供給手段は、図１図示の実施の形態１の供給手段と、図２図示の実施の形態２の供給手段とを組み合わせたものになっている。
【００５６】
すなわち、自動供給手段９によって、設定された単位時間あたりの供給量で、設定された供給量に達するまで活性処理剤を供給パイプ７を介して活性処理剤タンク６から処理槽３中へ連続的に供給する作業と、手動供給手段１０によって、供給パイプ７を介して活性処理剤タンク６から処理槽３中へ供給する活性処理剤の単位時間あたりの量を任意的に制御して供給パイプ７を介した活性処理剤タンク６から処理槽３中へ活性処理剤を連続的に供給する作業とを任意に切り替えつつ、吸引パイプ１１、循環ポンプ１２、供給パイプ７を介して循環流動される処理槽３内の処理水に対して、活性処理剤調整タンク１６に連結パイプ１５を介して接続されている追液ポンプ１４によって活性処理剤を追加投入するものである。
【００５７】
図示の実施形態では、活性処理剤調整タンク１６と、活性処理剤タンク６とがそれぞれ配備されている実施形態になっているが、活性処理剤調整タンク１６を省略して、活性処理剤タンク６のみにすることもできる。
【００５８】
この場合には、追液ポンプ１４は連結パイプ１５を介して活性処理剤タンク６に接続する構成になる。活性処理剤タンク６は収容している所定濃度、ｐＨの活性剤を、自動供給手段９を介して、設定されている単位時間当たりの活性処理剤の供給量（例えば、０．２リットル／分）、設定されている流量まで連続して供給するために使用されるものである。ここに収容されている活性処理剤を、吸引パイプ１１、循環ポンプ１２、供給パイプ７を介して循環流動される処理槽３内の処理水に対して追加投入する形式にするものである。
【００５９】
（海苔網活性処理船の実施の形態）
上述した実施の形態１〜３で説明した、海苔養殖場に張られている海苔網を活性処理する活性処理剤が収容されている活性処理剤タンクから、当該活性処理剤と水とが混合された処理水が収容されていて海苔網の活性処理が行われる処理槽へ、供給手段を介して、活性処理剤が供給される海苔網活性処理剤の供給装置を備えている海苔網活性処理船１を使用する者は、海苔養殖場で養殖場の状況（海水温度などの海水の状況、等）や、海苔網の状態・状況などを把握し、海苔養殖場に張られている海苔網の一列ごとに、どの程度の量の活性処理剤を、どの程度の時間かけて連続的に供給することによって海苔網活性処理を行うか判断する。
【００６０】
そして、この判断に基づいて、自動供給手段９によって、設定された単位時間あたりの供給量で、設定された供給量に達するまで活性処理剤を供給パイプ７を介して活性処理剤タンク６から処理槽３中へ連続的に供給する作業を行う。
【００６１】
この途中で、海苔養殖場の海の状況（海水の汚れ具合、海水温、等々）、活性処理を施す海苔網やそれに付着している藻類などの状態・性状、活性処理を行っている間における処理槽中の活性処理剤濃度の変動などに随時対応して、手動供給手段１０による連続供給に切り替え、供給パイプ７を介して活性処理剤タンク６から処理槽３中へ供給する活性処理剤の単位時間あたりの量を任意的に制御して供給パイプ７を介した活性処理剤タンク６から処理槽３中へ活性処理剤の連続的供給を行うことができる。
【００６２】
また、追液ポンプ１４を作動させて、処理槽３内の処理水の濃度やｐＨ、処理槽３内における海苔網の活性処理の状況・状態などに応じて調整された濃度、ｐＨの活性処理剤を、吸引パイプ１１、循環ポンプ１２、供給パイプ７を介して循環流動される処理槽３内の処理水に対して追加供給することができる。
【００６３】
この実施形態の海苔網活性処理剤供給装置を採用している海苔網活性処理船によれば、海苔網の活性処理作業を行っている者が、処理槽３内における海苔網の活性処理作業を目視し、自らの手や五感を駆使して、海苔網の状態・性状などを確認し、また、処理水中における活性処理剤の濃度や、処理水のｐＨなどを確認して、海苔網の活性処理作業中に、随時、自動供給手段による活性処理剤の連続供給と、手動供給手段による活性処理剤の連続供給とを切り替えて、活性処理剤を供給する単位時間あたりの量を制御し、より適切な海苔網活性処理が行われるようにすることができる。
【００６４】
また、必要があれば、追液ポンプ１４を作動させて、活性処理剤の追加投入を行うことで、より適切な海苔網活性処理を行うことができる。
【００６５】
以上、添付図面を参照してこの考案の好ましい実施形態を説明したが本考案は上述した実施形態に限られるものではなく実用新案登録請求の範囲の記載から把握される技術的範囲において種々に変動可能である。
【符号の説明】
【００６６】
１    海苔網活性処理船
３    処理槽
２    船外機
４    駆動エンジン
５ａ、５ｂ、５ｃ、５ｄ  巻き上げ手段
６    活性処理剤タンク
７    供給パイプ
８    供給ポンプ
９    自動供給手段
１０  手動供給手段
３１  電源スイッチ
３２  活性処理剤供給量設定部
３３  流量計部
３４  自動−手動切替部
１１  吸引パイプ
１２  循環ポンプ
１４  追液ポンプ
１５  連結パイプ
１６  活性処理剤調整タンク
【図１】
0003210762.tif 000003
【図２】
0003210762.tif 000004
【図３】
0003210762.tif 000005
【図４】
0003210762.tif 000006